(57)【要約】【課題】ワイヤハーネスに外装する樹脂製の丸チューブの開口端縁のエッジに電線が干渉するのを防止する。【解決手段】樹脂製の丸チューブからなるワイヤハーネス用の外装チューブであって、内部に通すワイヤハーネスの電線が引き出される前記丸チューブの開口端部にラッパ状拡径部を設け、該丸チューブ内に挿通するワイヤハーネスの電線が前記ラッパ状拡径部の端縁エッジと干渉せずに引き出すことができる構造とされている。【選択図】図１
2017103906.tif 000002
【特許請求の範囲】
【請求項１】
樹脂製の丸チューブからなるワイヤハーネス用の外装チューブであって、
内部に通すワイヤハーネスの電線が引き出される前記丸チューブの開口端部にラッパ状拡径部を設け、該丸チューブ内に挿通するワイヤハーネスの電線が前記ラッパ状拡径部の端縁エッジと干渉せずに引き出すことができる構造とされているワイヤハーネス用の外装チューブ。
【請求項２】
前記丸チューブのラッパ状拡径部の拡大させた先端を、前記ワイヤハーネスの電線と接続するコネクタの電線挿入側端面に突き当てる設定とし、
または、前記ラッパ状拡径部の拡大させた先端側の内面を前記コネクタの電線接続側端面の周縁に当接させて該コネクタの電線接続側端に被せる設定としている請求項１に記載のワイヤハーネス用の外装チューブ。
【請求項３】
前記丸チューブは架橋ポリエチレン樹脂または塩化ビニル樹脂からなる請求項１または請求項２に記載のワイヤハーネス用の外装チューブ。
【発明の詳細な説明】
【技術分野】
【０００１】
本発明はワイヤハーネス用の外装チューブに関し、特に、外装チューブとして用いる樹脂チューブの開口端末とワイヤハーネスの電線との接触を防止するものである。
【背景技術】
【０００２】
自動車等の車両に配索する複数の電線群からなるワイヤハーネスは、樹脂製の丸チューブやコルゲートチューブをワイヤハーネス用の外装チューブとして用い、これらチューブに通して集束および保護を図る場合が多い。
前記丸チューブとしては、塩化ビニル樹脂製、架橋ポリエチレン製のものが汎用されている。前記架橋ポリエチレン製の丸チューブは塩化ビニル樹脂製の丸チューブよりコスト高になるが、架橋により耐熱性および硬度を高めているため、エンジンルーム内等の高温雰囲気内に配索するワイヤハーネスの外装材として好適に用いられている。
【０００３】
この種の樹脂製丸チューブは図５（Ａ）に示すように、連続押出成形された同一径の直管からなり、この樹脂製丸チューブ１００は所要長さに切断して用いられる。該樹脂製丸チューブ１００は図５（Ｂ）に示すように、複数の電線１０１を集束して形成するワイヤハーネス１１０の外径より若干大きい内径のものを用い、端末に端子を接続した電線１０１を樹脂製丸チューブ１００内でガタツキのない状態で挿通し、先端開口１００ｈより引き出し、引き出した電線端末の端子をコネクタ１２０に挿入係止して接続している場合が多い。
また、樹脂製丸チューブ１００の端末の開口から引き出してコネクタ接続する電線は、外部露出部分を外部干渉材と干渉しないように粘着テープを巻き付ける場合もあるが、引き出された電線がコネクタに向けて傾斜して拡がる場合には粘着テープを巻き付けることが困難となる。
【０００４】
前記コネクタが極数の多い大型コネクタであると、図５（Ｃ）に示すように、樹脂製丸チューブ１００の先端開口１００ｈから引き出す電線１０１のうち、左右両側の電線１０１は傾斜させて大きく広げてコネクタ１２０の端子収容室に挿入する必要がある。よって、左右両側に傾斜する電線１０１は樹脂製丸チューブ１００の先端開口１００ｈを囲む先端面のエッジ１００ｅと干渉し、電線１０１の被覆外面に損傷が生じる恐れがある。特に、樹脂チューブが硬度が高く架橋ポリエチレン製であれば、エッジも硬くなるため、該エッジに電線が接触すると、電線の絶縁被覆に損傷が入り易い。
また、ワイヤハーネス１１０の端末で樹脂製丸チューブ１００から引き出した電線端末のコネクタ１２０を屈曲して相手方の機器やコネクタと接続される場合も、樹脂製丸チューブ１００の開口端のエッジと電線１０１とが干渉し、電線１０１の被覆外面に損傷が生じる恐れがある。特に、樹脂製丸チューブ１００が強度を高めた架橋ポリエチレン製であると、開口端縁のエッジに電線１０１が強く接触すると、損傷が生じやすくなる。
【０００５】
前記ワイヤハーネスの端末の保護に関して、本出願人は特開２０１４−１１８２４号公報で、図６に示すように、樹脂製丸チューブ１００の端末で半周部を切除して円弧状の突出片１１５を突設し、電線１０１の端末およびコネクタ１２０を突出片１１５と共に屈曲して覆う構造としているワイヤハーネス端末の保護構造を提供している。
【先行技術文献】
【特許文献】
【０００６】
【特許文献１】特開２０１４−１１８２４号公報
【発明の概要】
【発明が解決しようとする課題】
【０００７】
前記図６に示す特許文献１の構造とすると、樹脂製丸チューブ１００の開口エッジと電線の干渉を防止できると共に、コネクタと接続するまで電線が外部に露出しないため、電線の保護機能を高めることができ、特に、電線が信号線の場合はシールド保護することも出来る利点がある。
【０００８】
しかしながら、特許文献１のワイヤハーネス端末の保護構造では、樹脂製丸チューブ１００で保護したワイヤハーネスの端末の電線１０１および該端末に接続したコネクタ１２０を１８０度屈曲させる場合に採用できるが、チューブの端末から引き出すワイヤハーネスおよびコネクタを屈曲させない場合、屈曲させても１８０度ではなく、例えば９０度程度屈曲させる場合等には採用できない。かつ、突出片と共に電線端末およびコネクタを屈曲した状態で粘着テープ１６０を巻き付けて屈曲姿勢を保持する必要があり、作業手数がかかる問題もある。
【０００９】
本発明は前記問題に鑑みてなされたものであり、開口端縁のエッジと電線との干渉を防止できるワイヤハーネス用の外装チューブを提供することを課題としている。
【課題を解決するための手段】
【００１０】
前記課題を解決するため、本発明は、樹脂製の丸チューブからなるワイヤハーネス用の外装チューブであって、
内部に通すワイヤハーネスの電線が引き出される前記丸チューブの開口端部にラッパ状拡径部を設け、該丸チューブ内に挿通するワイヤハーネスの電線が前記ラッパ状拡径部の端縁エッジと干渉せずに引き出すことができる構造とされているワイヤハーネス用の外装チューブを提供している。
【００１１】
前記のように、丸チューブの開口端部にラッパ状拡径部を予め設けておくと、丸チューブから引き出す電線が傾斜または屈曲しても開口端縁のエッジに干渉するのを防止でき、または干渉しても電線がエッジに直交方向で干渉するのを防止できるため、干渉による電線の損傷発生を防止できる。
【００１２】
さらに、前記丸チューブのラッパ状拡径部の拡大させた先端を、前記ワイヤハーネスの電線と接続するコネクタの電線挿入側端面に突き当てる設定とし、
または、前記ラッパ状拡径部の拡大させた先端側の内面を前記コネクタの電線接続側端面の周縁に当接させて該コネクタの電線接続側端に被せる設定とすることが好ましい。
前記ラッパ状拡径部の拡径角度は、該丸チューブから引き出す電線の傾斜角度に応じて設定できるが、例えば、直径が１〜３ｍｍ程度増大する程度拡径している。
【００１３】
前記のように、丸チューブの先端のラッパ状拡径部をコネクタと当接またはコネクタの電線接続側を覆うようにすると、丸チューブ先端とコネクタとの間で電線を外部に露出させないため、外部干渉材との干渉を確実に防止でき、かつ、信号線の場合はシールド保護を図ることができる。
【００１４】
前記丸チューブの切断端に設ける前記ラッパ状拡径部は、例えば、切断端を円錐型とした加熱拡径型の先端に被せ、加熱により丸チューブを広げながら円錐型に押し込んで形成している。
【００１５】
前記丸チューブは架橋ポリエチレン樹脂、塩化ビニル樹脂等からなる。
即ち、前記樹脂の連続押出成形品からなり、ワイヤハーネスを通す長さに切断し、切断後に両端開口に前記円錐状の加熱拡径型で前記ラッパ状の拡径部を設けることが好ましい。
【発明の効果】
【００１６】
前記のように、丸チューブの先端にラッパ状拡径部を設けておくと、該丸チューブから引き出される電線がコネクタ接続のために外拡がりになっても、丸チューブの開口端のエッジに電線が接触するのを防止でき、その結果、電線の損傷が発生するのを防止できると共に、電線の取り回しの自由度を高めることができる。
【図面の簡単な説明】
【００１７】
【図１】本発明の第１実施形態を示し、（Ａ）は外装チューブとして用いる樹脂製の丸チューブの平面図、（Ｂ）は（Ａ）の要部拡大断面図、（Ｃ）は前記丸チューブにワイヤハーネスを通してコネクタと接続している状態の平面図である。
【図２】前記丸チューブの製造方法の説明図である。
【図３】（Ａ）は第２実施形態の丸チューブに通したワイヤハーネスをコネクタに接続している状態の平面図、（Ｂ）は（Ａ）の要部断面図である。
【図４】第２実施形態の変形例を示す図面である。
【図５】（Ａ）〜（Ｃ）は従来例を示す図面である。
【図６】（Ａ）（Ｂ）は他の従来例を示す図面である。
【発明を実施するための形態】
【００１８】
以下、本発明の実施形態を図面を参照して説明する。
図１および図２に第１実施形態を示す。
【００１９】
第１実施形態のワイヤハーネス用の外装チューブは、架橋ポリエチレン製の丸チューブ１からなり、該丸チューブ１の一端開口部にラッパ状拡径部２を設けている。該丸チューブ１は多数の電線１１を集束してなるワイヤハーネス１０の幹線から分岐する枝線を通しており、該枝線を構成するワイヤハーネスの電線端末をラッパ状拡径部２を通して引き出し、コネクタ２０と接続している。
【００２０】
コネクタ２０のワイヤハーネス接続側の面積は丸チューブ１の断面積より大きく、コネクタ２０のキャビテイ（端子収容室）２１のうち、両側のキャビテイ２１ａ、２１ｂに挿入する電線１１ａ、１１ｂはコネクタに向かって拡がるように傾斜して配線される。
【００２１】
前記電線１１ａ、１１ｂの傾斜角度より丸チューブ１のラッパ状拡径部２の傾斜角度を大とし、ラッパ状拡径部２の先端エッジ２ｅに電線１１ａ、１１ｂは干渉せずにコネクタ２０に接続させる設定としている。
【００２２】
前記丸チューブ１の製造は、樹脂で丸チューブに連続押出成形された後に、ワイヤハーネスへの外装長さに対応した所要長さに切断し、その後、図２に示すように、切断端の一端（丸チューブの両端から電線が引き出される場合は両端）を、円錐型とした加熱拡径型４０の先端に被せ、加熱により丸チューブ１を柔らかくして広げながら円錐型に押し込んで、ラッパ状拡径部２を形成している。本実施形態では、ラッパ状拡径部２の小径端２ｂに対して先端の大径端２ｃの直径を２ｍｍ程度大としている。
なお、加熱拡径型４０の円錐型の形状を変更することにより、ラッパ状拡径部２の形状をワイヤハーネスの電線群の拡がりに応じて変えている。
【００２３】
前記丸チューブ１に通すワイヤハーネス１０の枝線の電線１１は、丸チューブ１のラッパ状拡径部２を設けていない開口より丸チューブ１の内部に通し、他端のラッパ状拡径部２より引き出している。この丸チューブ１への挿通時には電線１１の端末に端子を接続しているだけで、コネクタ２０は丸チューブ１の内部に通らないため接続していない。丸チューブ１のラッパ状拡径部２より引き出した電線１１の端末の端子をコネクタ２０のキャビテイ２１に挿入係止する。その際、両側のキャビテイ２１ａ、２１に挿入係止する電線１１ａ、１１ｂが拡がり方向に傾斜するが、ラッパ状拡径部２のエッジ２ｅと干渉しない。
【００２４】
図３に第２実施形態を示す。
第２実施形態の丸チューブ１ーＢは塩化ビニル樹脂製であり、電線引出開口部に設けるラッパ状拡径部２は第１実施形態より長くして、該ラッパ状拡径部２より引き出す電線１１の端末に接続するコネクタ２０の電線接続側の外周面にラッパ状拡径部２の大径端２ｃ側を被せるようにしている。
【００２５】
即ち、ラッパ状拡径部２の長さＬ３を、その基端から引き出されてコネクタに接続されるまでの電線１１の長さＬ４より長くしている。かつ、ラッパ状拡径部２の先端側を被せることができるコネクタ２０は比較的小型とし、ラッパ状拡径部２の大径端２ｃの面積は小径端２ｂの面積の１．３倍以上としている。
【００２６】
図３（Ｂ）に示すように、ラッパ状拡径部２は、その長さ方向の中間位置の内面が、コネクタ２０の電線挿入側端面２０ｓの外周２０ｇに当接する。これにより、コネクタ２０内への埃や異物の侵入も防止できる。
【００２７】
なお、図４に示すように、ラッパ状拡径部２の大径端２ｃをコネクタ２０の電線挿入側端面２０ｓの外周枠２０ｊに突き当ててもよい。
【符号の説明】
【００２８】
１  丸チューブ
２  ラッパ状拡径部
１０  ワイヤハーネス
１１  電線
２０  コネクタ
【図１】
2017103906.tif 000003
【図２】
2017103906.tif 000004
【図３】
2017103906.tif 000005
【図４】
2017103906.tif 000006
【図５】
2017103906.tif 000007
【図６】
2017103906.tif 000008